(57)【要約】【課題】正圧、負圧を供給するにおいて、別々にコンプレッサーと真空ポンプを使用することなく一つの動力源で供給することである。【解決手段】排出口及び吸入口を有する単数のポンプ、該排出口及び該吸入口に切替機構を接続し、正圧経路及び負圧経路を経て正圧及び負圧を供給する。【選択図】  図１
2004169677.tif 000002
【特許請求の範囲】
【請求項１】
排出口及び吸入口を有するポンプ、該排出口及び該吸入口に接続される切替機構並びに正圧経路及び負圧経路よりなることを特徴とする正圧負圧供給装置。
【請求項２】
該正圧経路及び／又は該負圧経路にセンサを配したことを特徴とする請求項１に記載の正圧負圧供給装置。
【請求項３】
切替機構がセンサの検出値によりコントロールされて作動することを特徴とする請求項１または２に記載の正圧負圧供給装置。
【発明の詳細な説明】
【０００１】
【発明の属する技術分野】
本発明は、ポンプにより正圧及び負圧を供給する正圧負圧供給装置に関する。
【０００２】
【従来技術】
従来より、正圧供給、負圧供給の手段としてコンプレッサー、真空ポンプ、等が提案され実用化されている。これらは、コンプレッサーによる正圧供給、真空ポンプによる負圧供給と各々別々の動力源で稼働されている。
【０００３】
【発明が解決しようとする課題】
各々別々の動力源で正圧、負圧を発生させて供給することは、簡便な方法であるが動力源を複数配置することは、ロスが多く経済的でないという問題があり、単数の動力源で正圧、負圧を経済的に供給する正圧負圧供給装置を提供することである。
【０００４】
【課題を解決するための手段】
本発明に係る正圧負圧供給装置は、排出口及び吸入口を有するポンプ、該排出口及び該吸入口に接続される切替機構並びに正圧経路及び負圧経路よりなり、単数の動力源のポンプを用いて正圧及び負圧を供給する。単数のポンプで正圧及び負圧が供給できるため経済的な正圧負圧供給装置を提供することができる。更にセンサを用いて正圧及び負圧を測定し、測定した検出値により切替機構をコントロールすることにより稼動、停止、正圧負圧の切り替え、などを行うことにより一層経済的な正圧負圧供給装置を提供することができる。
【０００５】
本発明に係る正圧負圧供給装置は、排出口及び吸入口を有するポンプ、該排出口及び該吸入口に接続される切替機構並びに正圧経路及び負圧経路よりなる。更に、正圧経路及び／又は負圧経路にセンサを配置すること、更に切替機構がセンサの検出値によりコントロールされて作動すること、などである。本発明に係る正圧負圧供給装置は、以下の詳細な記述に限定されるものではない。
【０００６】
本発明に係る正圧負圧供給装置において、排出口及び吸入口を有するポンプは、特に限定するものではなく、一般的に使用されているポンプでよい。例えば、コンプレッサー、真空ポンプ、等であり、また、レシプロポンプ、スクロールポンプ、ベーンポンプ、レシプロコンプレッサ、スクロールコンプレッサ、ベーンコンプレッサ、等である。
【０００７】
切替機構は、ポンプの機能を正圧発生又は負圧発生を主動作として稼動させるかを切り替える装置である。例えば、正圧発生を主動作として稼動させる場合には、ポンプの排出口を正圧経路に接続させ、吸入口を大気に接続解放する。例えば、負圧発生を主動作として稼動させる場合は、ポンプの吸入口を負圧経路に接続させ、排出口を大気に接続解放する。該切替機構は、複数個の電磁弁ソレノイドを組み合わせて構成する切替機構、特殊な切替機構、などである。
【０００８】
センサは、正圧検出センサ、圧力センサー、負圧検出センサ、真空センサー、流量センサ、などである。例えば、センサで正圧を検出し基準値より減少したことを検出して切替機構を作動させ正圧供給する、他の基準値を超えたことを検出して切替機構を作動させ正圧供給を停止する。また、センサで負圧を検出し基準値を下回ることを検出して切替機構を作動させて負圧供給をする、他の基準値を上回ることを検出して切替機構を作動させて負圧供給を停止する。好ましくは、正圧供給、負圧供給を同時にすることなく、どちらか一方が作動するように切替装置をコントロールすることである。
【０００９】
【実施例】
本発明に係る正圧負圧供給装置の実施例を例示する。本発明に係る正圧負圧供給装置は、以下の実施例に限定されるものではない。
【００１０】
（実施例１）正圧負圧供給装置の構成として、３００Ｗのコンプレッサーポンプ１の排出口２及び吸入口３に図２に示す様な特殊な切替機構６を接続する。図２の排出口管４と排出口２、及び吸入口管５と吸入口３を配管接続する。図２の正圧経路７に正圧経路、負圧経路８に負圧経路を配管接続する。図２の大気放出経路１３は大気に放出する。正圧経路及び負圧経路に逆止弁（図示せず）を配置する。その先の正圧経路及び／又は負圧経路に圧力センサー９、真空センサー１０を配置し、正圧溜め１１及び負圧溜め１２を配置する。コンプレッサーのＯＮ−ＯＦＦ、切替機構６のホルダー１５内でスライド動作するシリンダー１４−１．１４−２．１４−３（連動した動作で稼動する。）のプッシュ・プル動作及びセンサーに接続されているコントローラ（図示せず）よりなる。
【００１１】
コントローラは、圧力センサーの検出値を読み取り圧力センサーの値が基準値より減少したことを検出して切替機構６にＦの力を働かせてゅー（図２（ａ））排出口管４と正圧経路７を導通させ、吸入口管５と大気放出経路１３を導通させる、このとき、吸入口管５と負圧経路８は閉閑されていて、正圧経路を通じて正圧溜め１１に加圧気体が蓄えられる。コントローラは、真空センサーの検出を読み取り真空センサの値が基準値より減少したことを検出して切替機構６に−Ｆの力を働かせて（図２（ｂ））吸入口管５と負圧経路８を導通させ、排出口管４と大気放出経路１３を導通させる、このとき排出口管４と正圧経路７は閉閑されていて、負圧経路を通じて負圧溜め１２に負圧が蓄えられる。正圧及び負圧が十分であるときは、コンプレッサを停止することもできる。正圧、負圧は逆止弁により減少することがない。
【００１２】
実施例１の構成より成る正圧負圧供給装置は、１台のコンプレッサー１と切替機構６を圧力センサー９、真空センサー１０、コントローラーで作動させることにより経済的に正圧負圧を供給することができる。
【００１３】
（実施例２）実施例１における切替機構６を３方向電磁弁で構成するほかは略同様な構成である。３方向電磁弁とは、ＩＮＰＵＴとＯＵＴＰＵＴ１及びＯＵＴＰＵＴ２（通常大気解放口）を備えた市販の電磁弁を使用し、電磁弁１のＩＮＰＵＴ１をコンプレッサーポンプの排出口管４と接続、ＯＵＴＰＵＴ１−１を正圧経路７と接続、ＯＵＴＰＵＴ１−２を大気に解放する。電磁弁２のＩＮＰＵＴ２をコンプレッサーポンプの吸入口管５と接続、ＯＵＴＰＵＴ２−１を負圧経路８と接続、ＯＵＴＰＵＴ２−２を大気に解放する。実施例１と略同様に正圧センサ、負圧センサの測定値により電磁弁をコントロールして正圧、負圧を切替、停止する。
【００１４】
実施例２による正圧負圧供給装置は、１台のコンプレッサーと切替機構（２個の電磁弁）を圧力センサー、真空センサー、コントローラーで作動させることにより経済的に正圧負圧を供給することができる
【００１５】
【発明の効果】
本発明に係る正圧負圧供給装置は、排出口及び吸入口を有する単数のポンプにセンサによりコントロールされた切替機構並びにセンサが配された正圧経路及び負圧経路よりなり、一台のポンプによりコントロールされた正圧及び負圧が供給されて経済的である。
【図面の簡単な説明】
【図１】本発明に係る正圧負圧供給装置の一実施態様を示す図である。
【図２】本発明に係る正圧負圧供給装置に使用される切替機構の一実施態様を示す断面図である。（ａ）は、Ｆ方向にシリンダーが引かれている状態であり、（ｂ）は、−Ｆ方向にシリンダーが押されている状態である。
【符号の説明】
１    ポンプ
２    排出口
３    吸入口
４    排出口管
５    吸入口管
６    切替機構
７    正圧経路
８    負圧経路
９    正圧センサ
１０  負圧センサ
１１  正圧溜め
１２  負圧溜め
１３  大気放出経路
１４−１．１４−２．１４−３  シリンダー
１５  ホルダー
【図１】
2004169677.tif 000003
【図２】
2004169677.tif 000004